(57)【要約】【課題】  筆等の棒状体を直立させる機能を持たせた包装箱を提供する。【解決手段】  底面１と、該底面１の端縁から直立する４つの側面２,２',２'',２'''を有する包装箱１０であって、前記４つの側面により形成される４つの辺の少なくとも１つの辺３において、前記辺３を垂直に横断し、長さの等しい２本の切込み線４,４'を有することを特徴とする包装箱１０とする。【選択図】  図１
2017149436.tif 000002
【特許請求の範囲】
【請求項１】
底面と、該底面の端縁から直立する４つの側面を有する包装箱であって、前記４つの側面により形成される４つの辺の少なくとも１つの辺において、前記辺を垂直に横断し、長さの等しい２本の切込み線を有することを特徴とする包装箱。
【請求項２】
前記辺のうち、前記２本の切込み線の間の部分に、少なくとも１本の折癖用切込み線を有する請求項１に記載の包装箱。
【発明の詳細な説明】
【技術分野】
【０００１】
本発明は包装箱に関する。
【背景技術】
【０００２】
歯科用材料には様々な種類があり、種類ごとに最適なパッケージが用いられる。例えば、歯科用常温重合レジン（例えば、特許文献１参照。）の場合、粉末又は液体の歯科用材料は一次的には樹脂製のボトルに収納され、さらにこのボトルをボール紙等からなる包装箱により包装された商品形態にて市場に流通されることが多い。
【０００３】
そしてこの歯科用常温重合レジンを使用する場合、筆積み法と呼ばれる方法にて使用される場合がある。この筆積み法とは、豚毛やナイロン製等の小筆にモノマーを主成分とする液体を筆先に充分に浸み込ませ、その後速やかに筆先をポリマーを主成分とする粉末に接触させることにより化学反応を開始させた混合物を筆先から例えば義歯床の修復箇所等に適用し、必要によりこの操作を繰り返し行う方法である。
【０００４】
このように、歯科用常温重合レジンの筆積み法を行う場合、必ず筆を用いることとなる。そこで、使用者の便宜のために、歯科用常温重合レジンの包装箱に、筆を同梱した商品形態も見られる。
【０００５】
また、包装箱は、開封されれば不要として廃棄される場合もあるが、使用者によっては、整理のために使用後のボトルを包装箱に戻して保管する場合もある。
【先行技術文献】
【特許文献】
【０００６】
【特許文献１】特開２００７−０５１１１６号公報
【発明の開示】
【発明が解決しようとする課題】
【０００７】
使用後のボトルを包装箱に戻して保管する場合、必ず使用する筆をボトルとともに収納できれば便宜である。しかしながら、図７に示したように、収納箱の内面とボトルとの間のスペースに筆を収納することは可能であるが、筆は容易に倒れてしまい、取り出しにくかったり見栄えが悪いという問題があった。
【０００８】
そこで本発明は、筆等の棒状体を直立させる機能を持たせた包装箱を提供することを課題とする。
【課題を解決するための手段】
【０００９】
本発明者等は前記課題を解決するため鋭意検討した結果、底面と、該底面の端縁から直立する４つの側面を有する包装箱であって、前記４つの側面により形成される４つの辺の少なくとも１つの辺において、前記辺を垂直に横断し、長さの等しい２本の切込み線を設けた包装箱であれば、前記辺の前記２本の切込み線で囲まれる部分を内側に押し込むことにより、前記辺の内側に押し込まれた部分においては、前記辺を形成する２つの側面の表側面が棒状体の保持面となり、前記辺の内側に押し込まれた部分以外の部分においては、前記辺を形成する２つの側面の裏側面が棒状体の保持面となり、棒状体はこれらの保持面に同時に保持されるため、安定的に直立することを見出して本発明を完成させた。
【００１０】
即ち本発明は、底面１と、該底面１の端縁から直立する４つの側面２,２',２'',２'''を有する包装箱１０であって、前記４つの側面により形成される４つの辺の少なくとも１つの辺３において、前記辺３を垂直に横断し、長さの等しい２本の切込み線４,４'を有することを特徴とする包装箱１０である。
【発明の効果】
【００１１】
本発明に係る包装箱は、簡易な構造ながら、筆等の棒状体を安定的に直立させることができる。
【図面の簡単な説明】
【００１２】
【図１】本発明に係る包装箱の一実施形態を示す説明図
【図２】本発明に係る包装箱の一実施形態を示す説明図
【図３】本発明に係る包装箱の一実施形態を示す説明図
【図４】本発明に係る包装箱の一実施形態を示す説明図
【図５】本発明に係る包装箱の一実施形態を示す説明図
【図６】本発明に係る包装箱の他の実施形態を示す説明図
【図７】従来の包装箱を示す説明図
【発明を実施するための形態】
【００１３】
以下、図面を参照して本発明の一実施形態に係る包装箱について詳細に説明するが、本発明は本実施形態に限定されない。
【００１４】
図１に示したように、包装箱１０は、底面１と、該底面１の端縁から直立する４つの側面２,２',２'',２'''とを有する箱体である。この箱体によって形成されるスペースに、歯科用材料等が収納されたボトル等を収納することができる。ここで底面１は長方形又は正方形であることが好ましい。
【００１５】
包装箱１０は、さらに、前記４つの側面により形成される４つの辺の少なくとも１つの辺３（図においては側面２,２'により形成）において、前記辺３を垂直に横断し、長さの等しい２本の切込み線４,４'を有する。ここで切込み線は、完全な切込みであってもよいし、点線等の部分的な切込みであってもよい。部分的な切込みの場合、使用時に完全な切込みとすればよい。
【００１６】
これにより、図２に示したように、前記辺３の前記２本の切込み線４,４'で囲まれる部分を内側に押し込むことができる。このとき、前記２本の切込み線４,４'の両端部同士が２本の折り曲げ線５,５'を形成する。また、前記辺３のうち、前記２本の切込み線４,４'の間の部分は、内側へと移動し内部辺６を形成する。
【００１７】
このようにすることにより、図３に示したように、前記辺３のうち内側に押し込まれた部分においては、前記２本の折り曲げ線５,５'と前記内部辺６との間の部分である前記辺３を形成する２つの側面２,２'の表側面が棒状体Ｂの保持面となり、前記辺３のうち前記辺３の内側に押し込まれた部分以外の部分においては、前記辺３を形成する２つの側面２,２'の裏側面が棒状体Ｂの保持面となり、このスペースに棒状体Ｂを配置した場合、上記の保持面に同時に保持されるため、棒状体Ｂを安定的に直立させることができる。
【００１８】
ここで、切込み線４,４'は、隣接する２つの側面２,２'において長さが等しいことが好ましい。即ち、切込み線４,４'の長さを２ａとしたとき、隣接する２つの側面２,２'における切込み線の長さは何れもａであることが好ましい。このとき、底面１が長方形又は正方形であれば、押し込みにより形成されるスペースは、断面が一辺の長さａの正方形である直方体状となり、棒状体Ｂをより配置しやすくなることから好ましい。
【００１９】
ここで棒状体Ｂとしては、棒状の形態であれば特に限定されないが、手指で鉛筆を持つように把持できるものが好ましい。例えば、筆、筆記用具、ヘラ、スパチュラ、ピンセット、歯科用器具等が挙げられる。
【００２０】
また図４に示したように、歯科用材料等が収納されたボトルＣ,Ｃ'は多くの場合円筒形状であるため、包装箱にボトルＣ,Ｃ'を収納した状態であっても、前記４つの側面により形成される４つの辺の近傍にスペースが存在する。このため前記４つの辺の何れについても、前記２本の切込み線４,４'を形成し内側へと押し込み、棒状体Ｂを直立させることができる。
【００２１】
ここで底面１が長方形又は正方形であり、且つ、切込み線４,４'が隣接する２つの側面２,２'において長さが等しい場合において、前記底面１の４つの端縁のうち、長さが最小のものの長さをＬとしたとき、切込み線４,４'の長さ２ａとの関係が、２ａ≦０．２９Ｌを満たせば、円筒形状のボトルＣ,Ｃ'が包装箱の内面に接するほど大きい場合でも、円筒形状のボトルＣ,Ｃ'に当接することなく、２本の切込み線４,４'で囲まれる部分を内側に押し込むことができるため好ましい。一方、２ａ＜０．０３Ｌであると、棒状体Ｂを配置するスペースが十分に確保できない傾向がある。このため、切込み線４,４'の長さ２ａは、０．０３Ｌ〜０．２９Ｌであることが好ましい。
【００２２】
また、歯科用材料用の包装箱としての切込み線４,４'の長さの実際の値は、０．５〜４ｃｍ程度であることが好ましい。
【００２３】
本発明に係る包装箱の材質は特に限定されないが、厚紙、ボール紙、段ボール等の紙製であることが好ましい。また、包装箱は１枚の紙等が折り曲げられて形成されていてもよく、２枚以上の紙等を組み合わせて形成されていてもよい。
【００２４】
厚紙、ボール紙、段ボール等の紙等は一定の厚みがあることから厚すぎる場合、２本の切込み線４,４'で囲まれる部分を内側に押し込んだとき、きれいに押し込めない場合がある。このとき、図５に示したように、前記辺３のうち、前記２本の切込み線４,４'の間の部分に、少なくとも１本の折癖用切込み線７を形成していると、内部辺６の厚みによる応力が緩和され、きれいに押し込めるようになることから好ましい。
【００２５】
なお、本発明に係る包装箱としては、図６に示したように、天井面８を有する包装箱２０であってもよい。この場合、使用時に包装箱２０に設けた切り取り線９,９'で切り取り、天井面８を含む部分を取り除けば、包装箱１０となる。
【符号の説明】
【００２６】
１  底面
２,２',２'',２'''  側面
３  辺
４,４'  切込み線
５,５'  折り曲げ線
６  内部辺
７  折癖用切込み線
８  天井面
９,９'  切り取り線
１０,２０  包装箱
【図１】
2017149436.tif 000003
【図２】
2017149436.tif 000004
【図３】
2017149436.tif 000005
【図４】
2017149436.tif 000006
【図５】
2017149436.tif 000007
【図６】
2017149436.tif 000008
【図７】
2017149436.tif 000009